(57)【特許請求の範囲】
【請求項１】
クリーンルーム内で着用され且つ着用時には衣服内の空気を吸引してクリーンルームの気圧より減圧状態に保持するようにした防塵衣において、前記防塵衣は、ズボンと上着を一体的に成形した衣服本体の前記ズボンの内側所定箇所に吸引により減圧する領域を限定するために裾を弾力的に絞りこんだ内側ズボンを設け、前記ズボンの裾の内側に足首付近に弾力的に密着しズボンの内側を閉塞する閉塞部を設け、また衣服本体上部にフードを着脱自在に装着すると共にフードの顔面に対応する部分に開口窓部を形成し、この開口窓部にシェードを開閉可能に設け、一方、衣服内の空気を減圧するための吸引装置は内空部を有する帯体の上下面に複数の吸入孔を穿設した吸入ベルトと、この吸入ベルトで吸入された空気を濾過し衣服本体の外部に排出するエアクリーナから形成されていることを特徴とする防塵衣。
【請求項２】
衣服本体のウエスト部分の脇腹から背中にわたり開閉自在に開口部を形成し、この開口部を介して吸引装置の吸入ベルトとエアクリーナとを連結してなる請求項１に記載の防塵衣。
【発明の詳細な説明】
【０００１】
【発明の属する技術分野】
本発明は、高清浄度クリーンルームでの着用に好適に使用される高機能防塵衣に関するものである。
【０００２】
【従来技術】
従来より、防塵衣はコンピュータ等の各種工業製品の精密化に伴い、使用される生地のフィルターとしての機能向上、生地自体からの発塵の減少化、袖や裾の気密性の向上などが要求されるにいたり、低発塵性の生地を用い袖や裾を絞って気密性を高めたものが一般に供されているが、このような防塵衣は作業者の動きによって防塵衣内の気圧がクリーンルームの気圧に対し上下することから、袖や裾の隙間から防塵衣内の塵埃を含む空気がクリーンルームに放散されるので、発塵の防止に限界があった。
【０００３】
また、近年では半導体産業における集積回路の集積度の増大など、クリーンルームを使用する産業分野の著しい進展に伴い、さらに高い清浄度のクリーンルームに適する防塵衣が求められるようになり、防塵衣内の空気を吸引してクリーンルームより減圧状態で保持するようにして、防塵衣内の塵埃を含む空気の放散を防止するようにすることが提案されている。
【０００４】
【発明が解決すべき課題】
ところで、このような防塵衣として、例えば、特公平６−１１９２３号公報及び特開昭６２−３３８０６号公報では防塵衣内に多数の吸引口を開設した吸引ホースを張り巡らしてこの吸引ホースの一端をエアクリーナに連結し、防塵衣内の空気を吸引濾過し塵埃のない空気をクリーンルームに放出させるようにした防塵衣が提案されているが、防塵衣内部に装着する吸引部分の構造が複雑で大きいため、長時間にわたって着用する作業者にとって違和感が大きく快適性に欠け、着脱も煩雑であることから、実用化に至っていないのが現状である。
【０００５】
【発明が解決するための手段】
本発明は、前記のような従来における課題を解決するために、着用した時に不快感を与えず、着脱も容易であり、しかも高い清浄度のクリーンルームに適した防塵衣の提供を目的とするものである。
【０００６】
そして、本発明の請求項１の防塵衣は、ズボンと上着を一体的に成形した衣服本体の前記ズボンの内側所定箇所に吸引により減圧する領域を限定するために裾を弾力的に絞りこんだ内側ズボンを設け、また衣服本体上部にフードを着脱自在に装着すると共にフードの顔面に対応する部分に開口窓部を形成し、この開口窓部にシェードを開閉可能に設け、一方、衣服内の空気を減圧するための吸引装置は内空部を有する帯体の上下面に複数の吸入孔を穿設した吸入ベルトと、この吸入ベルトで吸入された空気を濾過し衣服本体の外部に排出するエアクリーナから形成したことを特徴とする。
【０００７】
また、請求項２の防塵衣は、前記衣服本体のウエストの脇腹から背中にわたり開閉自在に開口部を形成し、この開口部を介して吸引装置の吸入ベルトとエアクリーナとを連結することを特徴とする。
【０００８】
【発明の実施の形態】
次に、本発明に係る防塵衣の好適な実施例につき、添付図面を参照しながら以下詳細に説明する。なお、本発明はこの実施例に限定されるものではなく、本発明の精神を逸脱しない範囲内において種々の設計変更をなし得ることは勿論である。
【０００９】
まず、本発明に係る防塵衣１は、衣服本体２とフード３と吸引装置４からなり、衣服本体２は微粒子状の繊維が遊離しない所謂低発塵織物が用いられていて、ズボン５と上着６を一体的に成形した所謂つなぎ服となっていて、ズボン５の内側には吸引により減圧する領域を限定するために適宜の長さを有し裾を弾力的に絞りこんだ内ズボン７が設けられており、またズボン５の裾の内側には足首付近に弾力的に密着しズボンの内側を閉塞する閉塞部８が形成されている。
【００１０】
さらに、衣服本体２の首廻りにはファスナー９が取付けられていて、フード３を着脱自在に取付けられるようになっており、前記首廻りのファスナー９の内側には所定幅の立ち襟１０が設けられ、対向する襟端を面ファスナー１１で止められるようにして首廻りの気密性を高めている。また、フード３は衣服本体２と同様に低発塵織物が用いられていて、顔面に対応する部分の開口窓部１２に透明合成樹脂製のシェード１３が開閉可能に設けられている。
【００１１】
一方、衣服本体２の背面のウエスト部分には吸引装置４を取付けるための開口部１４が形成されており、この開口部１４には開口縁部のほつれを阻止すると共に吸引装置を取付け易くするために金属または合成樹脂製の環状部材１５が設けられている。そして吸引装置４は断面形状が偏平な環状の帯体１６の上下に複数の空気吸入孔１７を開設すると共に装着した際に背中に対応する箇所に空気流通口１８を開設した吸入ベルト１９と、この吸入ベルト１９から吸入した衣服本体２内の空気を濾過し排出するエアクリーナ２０から構成されており、前記吸入ベルト１９を衣服本体２の内側に装着して空気流通口１８を衣服本体２の前記開口部１４から外部に露呈させ衣服本体２の外側からエアクリーナ２０を接続するようになっている。
【００１２】
このように構成される防塵衣１は、先ず吸入ベルト１９を作業者のウエストに取付けたのち、衣服本体２を装着し衣服本体２の外側からエアクリーナ２０を空気流通口１８に接続し、次にフード３を被り装着を完了する。
【００１３】
このようにして装着した防塵衣１は、エアクリーナ２０に内蔵される吸引ファンを始動することにより、衣服本体２内の空気が吸入ベルト１９の空気吸入孔１７から吸い込まれ空気流通口１８からエアクリーナ２０に導かれ、このエアクリーナ２０で微粒子状の塵埃等を濾過したのちクリーンルームに排出される。
【００１４】
また、衣服本体２内の空気が空気吸入孔１７から吸い込まれることで、衣服本体２内が減圧され、クリーンルームの空気がフード３の開口窓部１２に設けたシェード１３の隙間や袖口、裾口及びフアスナー部分などの衣服本体２の小さな隙間から流入する空気の流れが生じるので、前記各隙間部分から塵埃を含む空気が放散されることを防止する。
【００１５】
さらに、衣服本体２のズボン５の内側に設けた内ズボン７により、衣服本体２内の減圧する領域を限定することで吸引装置４の吸引効率を増大させることができ、また外側のズボン５の裾内側を閉塞する閉塞部８によりズボン７内側の塵埃の落下は阻止される。
【００１６】
一方、フード３は開口窓部１２に透明合成樹脂製のシェード１３を開閉自在に取付けた構成であることから、例えば、顕微鏡を覗くなどの作業はシェード１３を開くだけで簡単に行えるようになっている。
【００１７】
また、このフード３はシェード１３が取付けてあることから衣服本体２などに比較して重いので、ファスナー９で衣服本体２に着脱できるようにし、作業者が衣服本体２を装着したのちにフード３を被ることで防塵衣１の装着を容易にしている。
【００１８】
なお、図４に示すように、衣服本体２のウエストの脇腹から背中にかけてファスナー２１により開閉自在に形成した開口部２２を形成することで、吸入ベルト１９の空気流通口１８とエアクリーナ２０の接続をウエストの脇腹部分で行い、接続したのち吸入ベルト１９を回してエアクリーナ２０を背中にあわせファスナー２１を閉めれば、エアクリーナ２０の接続が容易に行える。
【００１９】
【考案の効果】
先に述べたように、本発明に係る防塵衣によれば、衣服本体及びフード内側を吸引装置で減圧して塵埃の放散を防止するので、内衣の発塵性を考慮せずに通常の作業服の上にこの装置を装着しても、クリーンルームを塵埃などで汚染することがなく、しかも吸入ベルトはウエスト部分に取り付けられるので、違和感なく手軽に装着して使用することができる。
【００２０】
また、減圧になった衣服本体内への空気流入は殆ど顔面のシェードの隙間からなされるので密閉感がなく呼吸が楽に行えるので長時間の作業においても疲労感が少なくてすみ、しかもシェードを開いて顕微鏡を覗くなどの作業ができるので、作業能率を向上することができるなどの利点を有している。
【図面の簡単な説明】
【図１】本発明に係る防塵衣の実施態様を示す一部切欠説明図。
【図２】図１に示す防塵衣の背面説明図。
【図３】図１に示す防塵衣のフードと衣服本体の関係を示す説明図。
【図４】本発明に係る防塵衣の別の実施態様を示す説明図。
【符号の説明】
１  防塵衣、                      ２  衣服本体、
３  フード、                      ４  吸引装置、
５  ズボン、                      ６  上着、
７  内ズボン、                    ８  閉塞部、
９  ファスナー、                １０  立ち襟、
１１  面ファスナー、              １２  開口窓部、
１３  シェード、                  １４  開口部、
１５  環状部材、                  １６  帯体、
１７  空気吸入孔、                １８  空気流通口、
１９  吸入ベルト、                ２０  エアクリーナ、
２１  ファスナー、
【図１】
0003777432.tif 000002
【図２】
0003777432.tif 000003
【図３】
0003777432.tif 000004
【図４】
0003777432.tif 000005